(57)【要約】【課題】記録途中の記録媒体にエラーが発生しても記録を中断せず他の記録媒体に記録を継続することができる映像記録装置を提供する。【解決手段】入力された映像信号を符号化して符号化データとする映像符号化部３と、符号化データを所定単位ずつ一時的に記憶しておくメモリ部１０と、符号化データを記録する複数の記録媒体１８と、メモリ部に記憶された符号化データを記録対象となっている記録媒体１８ａに記録する記録媒体制御部１４とを備える。複数の記録媒体のうち、現在記録対象となっている記録媒体以外の記録媒体１８ｂ、１８ｃに対し記録可能か否かのチェックを行い、複数の記録媒体に対して次に記録されるべき記録媒体１８ｂを設定する記録媒体チェック部１１を有し、記録媒体制御部は、記録媒体への記録にエラーが生じた場合には記録対象を次に記録されるべき記録媒体に切り替えて、メモリ部に記録された符号化データを再度記録して記録を続ける。【選択図】図１
2010033663.tif 000002
【特許請求の範囲】
【請求項１】
入力された映像信号を符号化して符号化データとする映像符号化部と、
前記符号化データを所定単位ずつ一時的に記憶しておくメモリ部と、
前記符号化データを記録する複数の記録媒体と、
前記メモリ部に記憶された前記符号化データを前記記録対象となっている記録媒体に記録する記録媒体制御部とを備えた映像記録装置において、
前記複数の記録媒体のうち、現在記録対象となっている記録媒体以外の記録媒体に対し記録可能か否かのチェックを行い、前記複数の記録媒体に対して次に記録されるべき記録媒体を設定する記録媒体チェック部を有し、
記録媒体制御部は、前記記録媒体への記録にエラーが生じた場合には記録対象を前記次に記録されるべき記録媒体に切り替えて、前記メモリ部に記録された前記符号化データを再度記録して記録を続けることを特徴とする映像記録装置。
【請求項２】
前記記録媒体チェック部は、接続されている前記記録媒体が記録可能どうかをチェックした記録可否情報を生成する請求項１記載の映像記録装置。
【請求項３】
前記記録可否情報は、記録されるべき記録媒体の優先順位を示す情報を有し、
前記記録媒体制御部は、前記記録可否情報が指示する前記記録媒体の優先順位に従って前記記録媒体に記録する請求項２記載の映像記録装置。
【発明の詳細な説明】
【技術分野】
【０００１】
本発明は、複数の記録媒体を同時に接続可能な映像記録装置に関する。
【背景技術】
【０００２】
従来のカメラレコーダは、磁気テープやハードディスク、光ディスク、半導体メモリ等の記録媒体に映像信号を記録している。特に記録媒体として光ディスクを使ったＤＶＤカムコーダには、振動によりＤＶＤドライブが書き込みを中断、あるいは光ディスクが故障した場合のように、光ディスクにアクセスできない状況の時に半導体メモリを使って映像データを途切れなく記録するものがある（たとえば特許文献１参照）。
【特許文献１】特開２００４−４８３３７号公報
【発明の開示】
【発明が解決しようとする課題】
【０００３】
しかしながら、上記従来の構成では、記録途中に記録媒体にエラーが発生した場合、新しい光ディスクに交換するまで半導体メモリにバックアップが可能であるが、交換に手間取ると記録データが半導体メモリの容量を超えてしまい記録が中断してしまう。
【０００４】
さらに、バックアップ用半導体メモリが記録可能か否かを判断する場合には、その間の映像データも半導体メモリに保存され、半導体メモリの容量を超える恐れがある。
【０００５】
本発明の映像記録装置は、上記問題に鑑みてなされたもので、記録途中の記録媒体にエラーが発生しても記録を中断せず他の記録媒体に記録を継続することができる映像記録装置を提供することを目的とする。
【課題を解決するための手段】
【０００６】
本発明の映像記録装置は、入力された映像信号を符号化して符号化データとする映像符号化部と、前記符号化データを所定単位ずつ一時的に記憶しておくメモリ部と、前記符号化データを記録する複数の記録媒体と、前記メモリ部に記憶された前記符号化データを前記記録対象となっている記録媒体に記録する記録媒体制御部とを備える。上記課題を解決するために、前記複数の記録媒体のうち、現在記録対象となっている記録媒体以外の記録媒体に対し記録可能か否かのチェックを行い、前記複数の記録媒体に対して次に記録されるべき記録媒体を設定する記録媒体チェック部を有し、記録媒体制御部は、前記記録媒体への記録にエラーが生じた場合には記録対象を前記次に記録されるべき記録媒体に切り替えて、前記メモリ部に記録された前記符号化データを再度記録して記録を続けることを特徴とする。
【発明の効果】
【０００７】
本発明によれば、記録途中に記録媒体にエラーが発生しても、記録を中断せずに他の記録媒体に記録が継続可能で、撮影時の信頼性を向上させることができる映像記録装置を提供することができる。
【発明を実施するための最良の形態】
【０００８】
本発明の映像記録装置は、上記構成を基本として、種々の態様を採ることができる。すなわち、前記記録媒体チェック部は、接続されている前記記録媒体が記録可能どうかをチェックした記録可否情報を生成する構成にすることができる。
【０００９】
さらに、前記記録可否情報は、記録されるべき記録媒体の優先順位を示す情報を有し、前記記録媒体制御部は、前記記録可否情報が指示する前記記録媒体の優先順位に従って前記記録媒体に記録する構成にすることができる。
【００１０】
以下、本発明の実施の形態について、図面を参照しながら説明する。
【００１１】
図１は、本発明の実施の形態における映像記録装置の全体構成を示すブロック図である。以下、映像記録装置１の構成について説明する。カメラ２は映像を電気信号である映像信号に変換し、映像符号化部３は変換された映像信号を映像符号化データに変換する。マイク４は音声を音声信号に変換し、音声符号化部５は変換された音声信号を音声符号化データに変換する。キー６は、ユーザにより操作され、ユーザからの指令（例えば、記録の開始、停止や設定情報）が入力される。キー入力部７は、キー６からの指令を指令データに変換する。
【００１２】
バス８には、映像符号化部３、音声符号化部５、キー入力部７、システム制御部９、メモリ部１０、表示制御部１２及び記録媒体制御部１４が接続されている。システム制御部９は、キー入力部７からの指令データの内容を解析し、記録媒体チェック部１１及びその他各部への制御を実行する。記録媒体チェック部１１は、映像符号化データと音声符号化データをどのスロットに接続された記録媒体に保存するかを判定する。メモリ部１０は、映像符号化部３からの映像符号化データと音声符号化部５からの音声符号化データとを一時的に記憶する。
【００１３】
表示制御部１２は、映像符号化データを画像として表示部１３に表示させる。さらに、表示制御部１２は、システム制御部９からの指示を表示部１３に表示可能なデータを作成し、表示部１３に表示させる。記録媒体制御部１４は、記録媒体チェック部１１の判定結果に基づいて、映像符号化データと音声符号化データを記録すべき記録媒体に振り分ける。
【００１４】
バス１５には、記録媒体制御部１４、第１ＰＣＭＣＩＡ  Ｉ／Ｆ１６ａ、第２ＰＣＭＣＩＡ  Ｉ／Ｆ１６ｂ、及び第３ＰＣＭＣＩＡ  Ｉ／Ｆ１６ｃが接続されている。第１ＰＣＭＣＩＡ  Ｉ／Ｆ１６ａには第１スロット１７ａが接続され、第１スロット１７ａには第１記録媒体１８ａが接続されている。第２ＰＣＭＣＩＡ  Ｉ／Ｆ１６ｂには第２スロット１７ｂが接続され、第２スロット１７ｂには第２記録媒体１８ｂが接続されている。第３ＰＣＭＣＩＡ  Ｉ／Ｆ１６ｃには第３スロット１７ｃが接続され、第３スロット１７ｃには第３記録媒体１８ｃが接続されている。
【００１５】
なお、第１ＰＣＭＣＩＡ  Ｉ／Ｆ１６ａ、第２ＰＣＭＣＩＡ  Ｉ／Ｆ１６ｂ及び第３ＰＣＭＣＩＡ  Ｉ／Ｆ１６ｃを総称してＰＣＭＣＩＡ  Ｉ／Ｆ１６と記述する。第１スロット１７ａ、第２スロット１７ｂ及び第３スロット１７ｃを総称してスロット１７と記述する。また、第１記録媒体１８ａ、第２記録媒体１８ｂ及び第３記録媒体１８ｃを総称して記録媒体１８と記述する。記録媒体１８には、映像符号化データと音声符号化データとが保存される。
【００１６】
なお、本実施の形態において、記録媒体１８としてＰＣＭＣＩＡ  Ｉ／Ｆ１６に接続可能なものを挙げたが、ハードディスクや書き換え可能な光ディスクなどでも良い。また、図１ではスロットの数は３スロットの場合を図示しているが２スロットや４スロット以上の数でも構わない。
【００１７】
図２は、記録媒体チェック部１１において保持されている記録媒体１８の記録可否情報を示す図である。記録可否情報は、「スロット名」、「記録媒体名」、「容量」、「空き容量」、及び「記録候補」を有する。「記録候補」は、優先順位を示す数字（「１」、「２」、「３」等）、「記録中」及び「記録不可」（「記録中」及び「記録不可」は図示されていない）の値を取る。図２では、スロット１７に３つの記録媒体１８が挿入され、撮影が停止されている状態を示している。
【００１８】
次に、本実施の形態に係る映像記録装置における正常時の映像や音声を記録媒体１８に記録する動作について説明する。カメラ２により撮影された映像は、映像符号化部３において、ＤＶＣＰＲＯやＡＶＣ−Ｉ等の映像符号化データに変換される。映像符号化データは、メモリ部１０に保存される。また、マイク４から入力された音声は音声符号化部５において音声符号化データに変換され、メモリ部１０に保存される。メモリ部１０に保存された映像符号化データと音声符号化データは、システム制御部９によりタイミング合わせを行い、更にタイムコードやメタデータ等の付加情報が加えられる。
【００１９】
次に、記録媒体制御部１４は、メモリ部１０に保存された映像符号化データ、音声符号化データ、及び付加情報を記録媒体チェック部１１によって選択されたスロット１７に接続された記録媒体１８に記録する。以上の工程により、映像符号化データ及び音声符号化データを記録媒体１８に記録することができる。以下、個々の動作について詳細に説明する。
【００２０】
映像記録装置に電源を投入した際の記録媒体チェック部１１の動作について図３を用いて説明する。図３は、記録媒体チェック部１１の動作を示す流れ図である。まず、ステップＳ１０１において、記録媒体チェック部１１は、チェックすべきスロット１７を選択する。選択されたスロット１７に接続された記録媒体１８は、以下の流れに従ってチェックされ、チェックが終了すると、次に、記録媒体チェック部１１は、別のスロット１７に接続された記録媒体１８をチェックして、最終的に全てのスロット１７に接続された記録媒体をチェックする。
【００２１】
スロット１７は、記録媒体チェック部１１において予め決められた「記録候補」のうちでチェックが行われておらず、最も優先順位が高いものが選択される。なお、予め決められる「記録候補」の優先順位は、映像記録装置１に保存され、ユーザにより書き換え可能である。
【００２２】
次に、ステップＳ１０２において、記録媒体チェック部１１は、選択されたスロット１７に記録媒体１８が接続されているか否かを判断する。スロットに接続されていればステップＳ１０３へ移行する。一方、スロット１７に接続されていなければ、そのスロット１７には記録媒体１８が接続していないために使用不可能と判定されて、ステップＳ１０６に移行する。
【００２３】
次に、ステップＳ１０３において、記録媒体チェック部１１は、対象の記録媒体１８の空き容量を検出する。対象の記録媒体１８に空き容量があれば、ステップＳ１０４に移行し、空き容量が無ければ、その記録媒体１８は記録不可能と判定して、ステップＳ１０６に移行する。ステップＳ１０４において、記録媒体チェック部１１は、システム制御部９、及び記録媒体制御部１４を経由して対象の記録媒体１８の空き領域にダミーライトを行い、書き込みエラーがあるか否かを判断する。エラーが無ければ、記録媒体チェック部１１は、対象の記録媒体１８を使用可能と判断してＳ１０５に移行する。一方、エラーがあれば、その記録媒体１８を使用不可能と判定して、Ｓ１０６に移行する。
【００２４】
ステップＳ１０５において、記録媒体チェック部１１は、図２の記録可否情報の「記録候補」に優先順位を設定する。優先順位は、ステップＳ１０５を処理した順番に「１」、「２」、「３」・・・と設定される。優先順位の設定が終了すると、ステップＳ１０８へ移行する。
【００２５】
ステップＳ１０６に移行した場合には、記録媒体チェック部１１は、チェックされている記録媒体を使用不可能と判定したので、図２に示す記録可否情報の「記録候補」の項目に「記録不可」と設定する。この際、予めあるいは既にステップＳ１０５において優先順位が設定されていた場合は、この優先順位よりも後の記録媒体の優先順位を１つ繰り上げる。例えば、図２に示した状態で第２記録媒体１８ｂを使用不可能と判定した場合、第２記録媒体１８ｂに対応する「記録候補」の項目を「記録不可」、第３記録媒体１８ｃに対応する「記録候補」の項目を「３」から「２」に変更する。なお、第１記録媒体１８ａの優先順位は「１」のまま変更しない。
【００２６】
次に、ステップＳ１０７として、記録媒体チェック部１１は、システム制御部９に対し、現在チェックしているスロット１７の番号とエラーが生じた旨を通知する。システム制御部９は、表示制御部１２を介して、表示部１３に、エラーが生じたスロットの番号をエラーが生じた旨を表示させる。
【００２７】
次に、ステップＳ１０８において、記録媒体チェック部１１は、全てのスロット１７をチェックしたかどうか判断する。例えば、図１では第１スロット１７ａ、第２スロット１７ｂ、及び第３スロット１７ｃを全てチェックした場合は処理を終了し、チェックを行っていないスロットがあればＳ１０１へ移行し処理を続行する。
【００２８】
以上のように、記録媒体チェック部１１の動作が行われる。なお、上記動作は、映像記録装置の電源投入後の他、一定周期ごとにも実行される。
【００２９】
（記録開始時の動作）
次に、本実施の形態に係る映像記録装置の記録開始時における動作について説明する。まず、システム制御部９は、記録媒体チェック部１１に記録対象とすべき記録媒体１８を問い合わせる。次に、システム制御部９は、カメラ２及びマイク４を動作させ、映像符号化データと音声符号化データをメモリ部１０に一時的に記憶させる。次に、システム制御部９は、メモリ部１０から映像符号化データと音声符号化データを取り出して記録媒体制御部１４に入力し、記録媒体制御部１４は映像符号化データと音声符号化データとを記録媒体チェック部１１に指示された記録媒体１８に記録を開始する。
【００３０】
記録媒体チェック部１１は、記録可否情報の「記録候補」の優先順位に従って記録する記録媒体１８をシステム制御部９に通知し、選択した記録媒体１８に対応する「記録候補」のデータを「記録中」に更新する。また、選択しなかった記録媒体１８の「記録候補」の優先順位を１つ上げる。例えば図２に示した状態で記録を開始した場合、記録媒体チェック部１１は、第１記録媒体１８ａを「記録中」、第２記録媒体１８ｂを「１」、第３記録媒体１８ｃを「２」に更新する。
【００３１】
（記録中に記録媒体のエラーが発生した時の動作）
（１．記録対象外の記録媒体にエラーが発生した場合）
次に、映像記録中に他の記録媒体１８のエラーが発生した場合の動作について説明する。まず、記録対象外の記録媒体にエラーが発生した場合について説明する。例えば、記録媒体制御部１４が第１記録媒体１８ａに映像データを記録中に記録媒体チェック部１１が第２記録媒体１８ｂのエラーを検出したとする。記録媒体制御部１４は、第１記録媒体１８ａに対して記録を継続し、記録媒体チェック部１１は図２に示す第２記録媒体１８ｂに対応する「記録候補」の項目を「記録不可」に更新し、第３記録媒体１８ｃに対応する「記録候補」の項目を「１」に更新する。また、記録媒体チェック部１１は、システム制御部９に第２記録媒体１８ｂにエラーが発生したことを通知する。そして、システム制御部９は、表示制御部１２を介して表示部１３に第２記録媒体１８ｂにエラーが発生した旨を表示し、ユーザに第２記録媒体１８ｂの交換を促す。
【００３２】
（２．記録中の記録媒体にエラーが発生した場合）
次に、記録中の記録媒体１８にエラーが発生した場合の動作について説明する。例えば、「記録候補」が図２に示す状態から、記録媒体制御部１４が第１記録媒体１８ａに記録を開始すると、記録媒体チェック部１１は第２記録媒体１８ｂに対応する「記録候補」の項目を「１」、第３記録媒体１８ｃに対応する「記録候補」の項目を「２」に変更する。
【００３３】
この状態において、記録媒体チェック部１１が第１記録媒体１８ａのエラーを検出した場合、記録媒体制御部１４は、エラーにより第１記録媒体１８ａに記録されなかった符号化データをメモリ部１０から読み出し、その中から時刻情報（タイムコード）を取得する。記録媒体制御部１４は、取得した時刻情報と第１記録媒体１８ａにエラーが発生したとの情報をシステム制御部１０に送付し、システム制御部１０は第１記録媒体１８ａにエラーが発生したことを表示部１３に表示させる。
【００３４】
また、システム制御部９は、記録媒体チェック部１１に対し第１記録媒体１８ａにエラーが発生したことを通知し、次に記録すべき記録媒体１８の候補を得る。記録媒体チェック部１１は、図２の記録可否情報において第１記録媒体１８ａに対応する「記録候補」の項目を「記録不可」に更新し、第２記録媒体１８ｂに対応する「記録候補」の項目を「記録中」、第３記録媒体１８ｃに対応する「記録候補」の項目を「１」に更新する。また、次の記録対象が第２記録媒体１８ｂであることをシステム制御部９に通知する。
【００３５】
システム制御部９は、記録媒体制御部１４より通知された時刻情報よりも前にあるフレーム先頭の符号化データをメモリ部１０から第２記録媒体１８ｂに対して再度記録を行うように記録媒体制御部１４に通知する。ここでフレーム先頭は、ＤＶＣＰＲＯやＡＶＣ−ＩのようにＩ（Ｉｎｔｒａ  Ｃｏｄｅｄ）ピクチャのみで構成される映像符号化データの場合はフレーム先頭、またＭＰＥＧのようにＰ（Ｐｒｅｄｉｃｔｉｖｅ  ｃｏｄｅｄ）／Ｂ（Ｂｉｄｉｒｅｃｔｉｏｎａｌｌｙ  ｐｒｅｄｉｃｔｉｖｅ  ｃｏｄｅｄ）ピクチャが含まれる映像符号化データの場合はＧＯＰ（Ｇｒｏｕｐ  ｏｆ  Ｐｉｃｔｕｒｅｓ）先頭とする。これによって映像の乱れを防ぎ、連続した映像を記録することができる。
【００３６】
以上のように、本実施の形態に係る映像記録装置は、記録途中の記録媒体にエラーが発生しても、記録を中断せず新しい記録媒体に記録を継続することができる。
【００３７】
また、映像データを記録中においても記録媒体のチェックを行っているので、記録中の記録媒体にエラーが生じても他の記録媒体に記録を継続することができる。
【産業上の利用可能性】
【００３８】
本発明にかかる映像記録装置は、記録媒体にエラーが生じても、他の記録媒体に記録を継続するため、貴重な撮影の機会を逃すことがなく、特に報道取材やスポーツ取材等、同じシーンを１度しか撮影する機会がない用途の映像記録装置として有用である。
【図面の簡単な説明】
【００３９】
【図１】本発明の実施の形態に係る映像記録装置の構成を示すブロック図
【図２】本実施の形態に係る映像記録装置の記録媒体チェック部において保持されている記録媒体記録可否情報を示す図
【図３】本実施の形態に係る映像記録装置の記録媒体チェック部１１の動作を示す流れ図
【符号の説明】
【００４０】
１  映像記録装置
２  カメラ
３  映像符号化部
４  マイク
５  音声符号化部
６  キー
７  キー入力部
８、１５  バス
９  システム制御部
１０  メモリ部
１１  記録媒体チェック部
１２  表示制御部
１３  表示部
１４  記録媒体制御部
１６ａ  第１ＰＣＭＣＩＡ  Ｉ／Ｆ
１６ｂ  第２ＰＣＭＣＩＡ  Ｉ／Ｆ
１６ｃ  第３ＰＣＭＣＩＡ  Ｉ／Ｆ
１７ａ  第１スロット
１７ｂ  第２スロット
１７ｃ  第３スロット
１８ａ  第１記録媒体
１８ｂ  第２記録媒体
１８ｃ  第３記録媒体
【図１】
2010033663.tif 000003
【図２】
2010033663.tif 000004
【図３】
2010033663.tif 000005